(57)【要約】【課題】点順次駆動方式の液晶表示装置において、映像信号に対応する画像を、その画像の縦横比を維持したままで、任意の縦横比の画角の表示パネルに表示できるようにする。【解決手段】ナロー画像をワイドパネル内に真円率を維持して表示させるモード時には、有効領域用の水平走査クロックＨＣＫを、ワイドサイズ対応の６ｆＨ仕様ではなく、より低周波数の８ｆＨ仕様に設定する。何れの周波数においてもデューティ比を５０％に維持する。有効映像領域の両側に無効映像領域を配して表示を行なう際は、両側の無効映像領域の両端から水平スタートパルスＨＳＴを供給して互いに逆方向に順次シフトすることで無効映像領域の表示を行なう。無効映像領域の表示を行なった後には、無効映像領域最終段のシフトパルスの内、有効映像領域の転送方向と同一のシフトパルスを有効映像領域の書込み開始パルスとして用いて順次シフトすることで有効映像領域の表示を行なう。【選択図】図６
2006284709.tif 000002
【特許請求の範囲】
【請求項１】
縦横比Ｘ：Ｙの表示画面を構成するようマトリクス状に配置された複数の表示画素と、書込み開始パルスを順次シフトすることで得られるシフトパルスに基づいて、一列に並んだ前記表示画素を点順次でアドレス指定するアドレス指定部とを備えた表示パネルを駆動する方法であって、
前記縦横比Ｘ：Ｙの表示画面内における有効映像領域に縦横比Ｘ：Ｚの映像信号に基づいて画像を表示する際には、前記有効映像領域の表示画素を駆動する前記シフトパルスと、前記有効映像領域を除く領域である無効映像領域の表示画素を駆動する前記シフトパルスの各転送処理を領域に応じて制御する
ことを特徴とする表示パネルの駆動方法。
【請求項２】
縦横比Ｘ：Ｙの表示画面を構成するようマトリクス状に配置された複数の表示画素と、書込み開始パルスを順次シフトすることで得られるシフトパルスに基づいて、一列に並んだ前記表示画素を点順次でアドレス指定するアドレス指定部とを備えた表示パネルであって、
前記縦横比Ｘ：Ｙの表示画面内における縦横比Ｘ：Ｚの領域である有効映像領域の表示画素を駆動する前記シフトパルスと、前記有効映像領域を除く領域である無効映像領域の表示画素を駆動する前記シフトパルスの各転送処理を領域に応じて制御することで、前記有効映像領域に縦横比Ｘ：Ｚの映像信号に基づいて画像を表示する駆動部
を備えていることを特徴とする表示パネル。
【請求項３】
前記駆動部は、前記有効映像領域の両側に前記無効映像領域を配して表示を行なう際には、前記両側の無効映像領域の両端から前記書込み開始パルスを供給して互いに逆方向に順次シフトすることで前記無効映像領域の表示を行なう
ことを特徴とする請求項２に記載の表示パネル。
【請求項４】
前記駆動部は、前記無効映像領域の表示を行なった後には、前記無効映像領域最終段のシフトパルスの内、前記有効映像領域の転送方向と同一のシフトパルスを当該有効映像領域の書込み開始パルスとして用いて順次シフトすることで当該有効映像領域の表示を行なう
ことを特徴とする請求項３に記載の表示パネル。
【請求項５】
前記駆動部は、各領域の前記シフトパルスの転送方向を制御するための制御信号を、前記有効映像領域に前記縦横比Ｘ：Ｚの映像信号に基づいて画像を表示するモードを示すモード情報と、前記有効映像領域の前記シフトパルスの転送方向を示す転送方向情報とに基づいて生成する領域別表示制御信号生成部を有している
ことを特徴とする請求項２に記載の表示パネル。
【請求項６】
前記駆動部は、前記書込み開始パルスを順次シフトすることで前記シフトパルスを取得するための走査クロックであって、前記無効映像領域の前記表示画素を点順次でアドレス指定するための前記走査クロックのデューティ比を維持しつつ、その周波数よりも低く設定された前記有効映像領域の前記表示画素を点順次でアドレス指定するための前記走査クロックを受け取る
ことを特徴とする請求項２に記載の表示パネル。
【請求項７】
前記駆動部は、前記Ｚを、Ｚ＜ＹとＺ＝Ｙの何れかに切替可能に構成されている
ことを特徴とする請求項２に記載の表示パネル。
【発明の詳細な説明】
【技術分野】
【０００１】
本発明は、表示パネル（表示装置本体）とその駆動方法に関する。より詳細には、点順次駆動方式のアクティブマトリクス型表示パネルを駆動する仕組みに関する。特に、映像信号に対応する画像を、その画像の縦横比（画角あるいはアスペクト比ともいわれる）を維持したままで任意の縦横比の表示パネルに表示する仕組みや、ワイドパネルでのワイド表示とナロー表示の切替えを行なう仕組みへの適用に好適な駆動手法に関する。さらに詳しくは、画素の点順次アドレシングを司る駆動部（アドレス回路）の構成に関する。
【背景技術】
【０００２】
画素がマトリクス状に配列されてなる表示パネル、たとえば液晶表示装置（液晶パネル）の駆動方式として、画素の各々に対して個々の独立した画素電極を配列し、これら画素電極の各々に薄膜トランジスタ（ＴＦＴ；Thin Film Transistor）などのスイッチング素子を接続して画素を選択的に駆動する、いわゆるアクティブマトリクス駆動方式（以下、単にアクティブマトリクス型と記す）が知られている。
【０００３】
アクティブマトリクス型液晶表示装置では、スイッチング素子としてたとえば薄膜トランジスタが形成されたＴＦＴ基板と、カラーフィルタや対向電極などが形成された対向基板とを重ね合わせ、これら基板間に液晶を封入することによって液晶パネルが構成されている。そして、この液晶パネルにおいて、薄膜トランジスタによるスイッチング制御と映像信号に基づく電圧印加によって液晶の配向を制御し、光の透過率を変えることで映像表示を行なっている。
【０００４】
ところで、アクティブマトリクス型液晶パネルの駆動系では、一般的に、映像信号と水平、垂直同期信号（または、水平、垂直同期信号を含む複合映像信号）をタイミングジェネレータ（パルス信号発生器）およびアナログ信号ドライバが受け、タイミングジェネレータからは各種のタイミング信号を、アナログ信号ドライバからは交流駆動化されたアナログ映像信号をそれぞれ液晶パネルに供給することによって表示駆動が行なわれる。
【０００５】
また、アクティブマトリクス型液晶表示装置において、その駆動方式としては、線順次走査駆動することにより画像を表示する線順次方式と各画素を１ライン（１行）ごとに画素単位で順次駆動する点順次駆動方式とがある。
【０００６】
一方、表示パネルには様々な縦横比を持つものがある。典型例としては、従前のテレビジョン方式において一般的に用いられている３（縦）：４（横）のナロー（狭）サイズのもの（以下ナローパネルともいう）や、ハイビジョン規格で用いられている９（縦）：１６（横）のワイド（広）サイズのもの（以下ワイドパネルともいう）がある。ワイドパネル（縦横比Ｘ：Ｙとする）を用いる場合、縦横比Ｘ：Ｙの映像信号を用いたワイド表示と縦横比Ｘ：Ｚ（Ｚ＜Ｙ）の映像信号を用いたナロー表示の切替えを可能とする仕組みが知られている。
【０００７】
ここで、ナローパネルに３：４のナロー画像信号に基づいて表示する場合やワイドパネルに９：１６のワイド画像信号に基づいて表示する場合には、元画像の縦横比がそのまま維持されて表示されるが、パネルサイズと画像信号サイズの関係が崩れると、単純に表示した場合には元画像の縦横比を維持できなくなる。たとえば、３：４の映像信号に基づいて、その映像信号よりも横に広いワイドパネルに表示させようとすると、表示される映像は横に伸びた映像となってしまう。
【０００８】
この問題を解消するには、ワイドパネルに３：４の映像信号で表示する場合には３：４のアスペクト比に変換するため、全画素列のうちたとえば中央領域のみを使用して画面を構成し、残量域である両端の領域には黒枠などの一定の信号レベルで表示することで、見る者に違和感を与えないようにする。
【０００９】
このような仕組みを実現する手法として、様々な手法が提案されている。たとえば、映像信号処理によって３：４の映像信号の左右に一定レベルの信号を付加し、それを３：４サイズにスクイーズ（一水平期間ごとの圧縮処理）してワイドパネルに表示させる手法がある。しかしながらこの手法は、映像信号処理が複雑化し、回路規模が大きくなるため、コストアップの要因になる。
【００１０】
一方、高速転送処理がなされる転送段の途中に物理的な素子を新たに導入することで、ワイド表示とナロー表示の切替えや画素の双方向点順次アドレシングを行なう仕組みが提案されている（たとえば特許文献１を参照）。
【００１１】
【特許文献１】特開平７−２９８１７１号公報
【００１２】
たとえば、特許文献１には、単一のシフトレジスタを用いた水平アドレス回路（水平転送処理部１６１に相当）でワイド表示とノーマル表示（ナロー表示）の切り換えを可能にする仕組みが提案されている。この仕組みは、ワイド表示時先頭段に位置するフリップフロップの入力端子に書込み開始パルスの一例である水平スタートパルスを注入するワイド入力スイッチ素子を設けるとともに、ノーマル表示時特定の途中段に位置するフリップフロップの入力端子に水平スタートパルスを注入するノーマル入力スイッチ素子を設けることで対処している。つまり、高速転送処理がなされる転送段の途中に物理的なスイッチを新たに導入している。
【００１３】
また、特許文献１には、無効映像領域と有効映像領域の境界に接続ゲート素子を介在させ、ワイド表示時継目における水平スタートパルスの転送を可能とする一方、ノーマル表示時継目における水平スタートパルスの転送を遮断する接続ゲート素子を設けることで、水平スタートパルスの転送を順方向または逆方向に制御し、画素の双方向点順次アドレシングを行なう仕組みも提案されている。つまり、高速転送処理がなされる転送段の途中に物理的な接続ゲート素子を新たに導入している。
【発明の開示】
【発明が解決しようとする課題】
【００１４】
しかしながら、特許文献１に記載の仕組みのように転送段の途中にスイッチ素子を設けることで対処した場合には、高周波数駆動が必要な水平駆動回路のある一部分にスイッチ素子を設けることになるので、少なからずシフトパルス遅延やなまりが生じてしまう。特許文献１では、このパルス遅延やなまりを平均化するために負荷調整用のダミースイッチ素子を導入する手法も提案しているが、これは高周波数駆動としては非常に将来性がない対策にしか過ぎない。
【００１５】
また、特許文献１に記載の仕組みのように、高周波数駆動が必要な水平駆動回路のある一部分に接続ゲート素子を介在させることで、画素の双方向点順次アドレシングを行なうことができるようにすると、スイッチ素子を水平駆動回路のある一部分に設ける場合と同様にパルス遅延やなまりが生じてしまう。
【００１６】
さらに、特許文献１に記載の仕組みを実現するには、水平スタートパルスを途中段まで引き回す必要がある。しかしながら、高周波数のパルス信号用の配線を引き回すと、配線遅延や容量の影響を非常に強く受け、波形が崩壊し転送開始不能という事態になり得る要素も持っている。
【００１７】
本発明は、上記事情に鑑みてなされたものであり、高速転送処理がなされる転送段の途中に物理的な素子を導入することなく、ワイド表示とナロー表示の切替えや画素の双方向点順次アドレシングを行なうことのできる仕組みを提供することを目的とする。
【課題を解決するための手段】
【００１８】
本発明においては、縦横比Ｘ：Ｙの表示画面内の有効映像領域に画像を表示する際には、有効映像領域の表示画素を駆動するシフトパルスと、有効映像領域を除く無効映像領域の表示画素を駆動するシフトパルスの各転送処理を領域に応じて制御するようにした。
【００１９】
ここで、“転送処理を領域に応じて制御する”とは、書込み開始パルスの供給位置やこの書込み開始パルスに基づくシフトパルスの転送方向や転送停止位置などを、パネル面内における有効映像領域と無効映像領域の位置に応じて制御することを意味する。
【００２０】
また従属項に記載された発明は、本発明のさらなる有利な具体例を規定する。たとえば、有効映像領域の両側に無効映像領域を配して表示を行なう際には、両側の無効映像領域の両端から書込み開始パルスを供給して互いに逆方向に順次シフトすることで無効映像領域の表示を行なう。さらに好ましくは、無効映像領域の表示を行なった後には、無効映像領域最終段のシフトパルスの内、有効映像領域の転送方向と同一のシフトパルスを有効映像領域の書込み開始パルスとして用いて順次シフトすることで有効映像領域の表示を行なう。
【００２１】
一般的に、点順次駆動方式では、フリップフロップなどを用いて水平駆動部のシフト段を構成する。ワイドパネルにする場合には、シフト段をワイド表示に従った画素の全列数に応じた個数だけ多段接続した単一のシフトレジスタを用いている。また、シフト段によるシフトパルスの転送方向を順方向（正転送という）または逆方向（反転送という）に制御し反転表示を可能にすることも行なわれる。
【００２２】
ここで、本発明においては、ワイドパネルにナロー映像信号に基づいてナロー表示を行なう場合には、有効映像領域のシフト段のみを正転送方向もしくは反転送方向に転送駆動して画素アドレシングを行ないつつ、アドレスされた画素にナロー映像信号を書き込む。有効映像領域の初段からナロー映像信号を書き込み、有効映像領域の最終段に達したら転送動作を打ち切ることで、ナロー表示を実現する。ワイド表示のときには、通常通り、全てのシフト段を正転送方向もしくは反転送方向に転送駆動して画素アドレシングを行ないつつ、アドレスされた画素にワイド映像信号を書き込む。こうすることで、ワイドパネルを用いたとき、ワイド表示とナロー表示を容易に切り替えることや、画素の双方向点順次アドレシングを行なうことができる。
【００２３】
好ましくは、無効映像領域のシフト段に関しては、有効映像領域との配置関係や転送方向を参照して所定方向に転送駆動して画素アドレシングを行ないつつ、アドレスされた画素にナロー画像の表示に支障を与えない情報を書き込む。
【００２４】
なお、無効映像領域が有効映像領域の転送方向のさらに前側に配される場合には、先に書込み開始パルスを無効映像領域の初段に供給して無効映像領域について有効映像領域の転送方向と同方向に転送を行ない、その最終段のシフトパルスを有効映像領域用の書込み開始パルスに使うことで、無効映像領域から有効映像領域に亘って連続した転送を行なうことで、ワイドパネル内の一部にナロー表示を行なった際の継目が画面上に現われないようにする。
【００２５】
また、無効映像領域が有効映像領域の両側に配される場合には、有効映像領域の転送方向の後側（転送方向最終段よりもさらに後段）に配される無効映像領域に関しては、有効映像領域の転送方向のさらに前側に配される無効映像領域の転送処理と並行して、有効映像領域の転送方向とは逆方向に転送処理を行なう。つまり、両側の無効映像領域に関しては、互いに反対方向に転送を行なう。また、有効映像領域の転送方向の後側（転送方向最終段よりもさらに後段）に配される無効映像領域に関しての転送が有効映像領域に達すると転送動作を打ち切る。この場合においても、領域によって転送開始位置や停止位置が異なるものの、パネル全面について同様の転送処理を行なうことで、ワイドパネル内の一部にナロー表示を行なった際の継目が画面上に現われないようにする。
【００２６】
シフトパルスを取得するための走査クロックとしては、無効映像領域の表示画素を点順次でアドレス指定するための走査クロックのデューティ比を維持しつつ、その周波数よりも低く設定された有効映像領域の表示画素を点順次でアドレス指定するための走査クロックを受け取るのがよい。つまり、無効映像領域用の走査クロックよりも有効映像領域用の走査クロックの周波数を低くする。またこの際には、何れの周波数においても、デューティ比を同じように維持するのがよい。デューティ比の典型例としては、２値（Ｈ／Ｌ）の走査クロックのＨ／Ｌ両方で書き込む点順次駆動方式の場合５０％となる。
【００２７】
ここで、前記の制御態様が適用される典型例は、Ｘ：Ｙ＝９（縦）：１６（横）の表示パネル内に、Ｘ：Ｚ＝３（縦）：４（横）の映像を表示する場合における、横方向の走査（水平シフト動作）に関してであり、表示サイズを切替可能に構成することもできる。また、この際には、ＸとＹやＺの関係は相対的なものであり、何れを縦とし何れを横とするかは自由である。
【００２８】
つまり、本発明においては、前記の関係を維持する限り、表示パネルと、そこに表示される映像サイズの関係は種々の態様をとることができる。たとえば、横広の画面内に横サイズの狭い映像を表示する場合や、縦広の画面内に縦サイズの狭い映像を表示する場合であってもよい。３（縦）：４（横）の表示パネル内に、９（縦）：１６（横）の映像を表示する場合に、縦方向の走査（垂直シフト動作）に関して前記の制御態様を適用することができる。
【発明の効果】
【００２９】
本発明によれば、シフトパルスの転送処理を領域に応じて制御するようにしたので、転送スイッチやシフトレジスタの従属接続態様を従来と同様にしつつ、転送段の途中にスイッチ素子や接続ゲート素子を設けることなく、ワイドパネルで、ワイド表示とナロー表示の切替えや画素の双方向点順次アドレシングを行なうことができるようになる。この結果、転送段の途中にスイッチ素子や接続ゲート素子を設けることによって生じる様々な問題を解消することができる。シフトパルスの転送処理を領域に応じて制御するだけでよく、回路構成も極めて簡易である。
【発明を実施するための最良の形態】
【００３０】
以下、図面を参照して本発明の実施形態について詳細に説明する。
【００３１】
＜液晶表示装置の全体構成＞
図１は、本発明に係る表示パネルを駆動する駆動装置（パルス信号発生回路）の一実施形態を駆動信号生成部に適用した、たとえば電気光学素子として液晶セルを用いてなる液晶表示装置の一実施形態の全体構成の概略を示す図である。
【００３２】
図１に示すように、液晶表示装置１は、複数の表示用の画素Ｐが表示アスペクト比である縦横比がＸ：Ｙ（たとえば９：１６）の有効映像領域を構成するように配置されたパネル部１００と、このパネル部１００を駆動制御する種々のパルス信号を発するパネル制御部の一例である駆動信号生成部２００と、映像信号処理部３００を備えている。駆動信号生成部２００と映像信号処理部３００とは、１チップのＩＣ（Integrated Circuit；半導体集積回路）に内蔵されている。
【００３３】
パネル部１００は、基板１０２の上に、画素アレイ部１０３、垂直駆動部１０５、水平駆動部１０６、レベルシフタ部（Ｌ／Ｓ）１０７、外部接続用の端子部（パッド部）１０８などが集積形成されている。すなわち、垂直駆動部１０５、水平駆動部１０６、およびレベルシフタ部１０７などの周辺駆動回路が、画素アレイ部１０３と同一の基板１０２上に形成された構成となっている。
【００３４】
画素アレイ部１０３は、一例として、図示する左右方向の一方側もしくは両側から垂直駆動部１０５で駆動され、かつ図示する上下方向の一方側もしくは両側から水平駆動部１０６で駆動されるようになっている。
【００３５】
端子部１０８には、液晶表示装置１の外部に配された駆動信号生成部２００から、種々のパルス信号が供給されるようになっている。また同様に、映像信号処理部３００から映像信号Ｖsig が供給されるようになっている。
【００３６】
一例としては、垂直駆動用のパルス信号として、垂直方向の書込み開始パルスの一例であるシフトスタートパルスＩＮの他に、垂直走査クロックＶＣＫおよび垂直走査クロックｘＶＣＫ（ＶＣＫを論理反転したもの）、スタンバイ信号ＳＴＢ（あるいはＳＴＢを論理反転したｘＳＴＢ）、イネーブルパルスＥＮなど必要なパルス信号が供給される。また、水平駆動用のパルス信号として、水平方向の書込み開始パルスの一例である水平スタートパルスＨＳＴや、水平走査クロックＨＣＫおよびこの水平走査クロックＨＣＫとは逆相の水平走査クロックｘＨＣＫ（ＨＣＫを論理反転したもの）などが供給される。なお、垂直走査クロックｘＶＣＫやスタンバイ信号ｘＳＴＢは、垂直駆動部１０５にて垂直走査クロックＶＣＫやスタンバイ信号ＳＴＢを論理反転することで生成してもよい。同様に、水平走査クロックｘＨＣＫは、水平駆動部１０６にて水平走査クロックＨＣＫを論理反転することで生成してもよい。
【００３７】
端子部１０８の各端子は、配線１０９を介して、垂直駆動部１０５や水平駆動部１０６に接続されるようになっている。たとえば、端子部１０８に供給された各パルスは、レベルシフタ部１０７で電圧レベルを内部的に調整した後、バッファを介して垂直駆動部１０５や水平駆動部１０６に供給される。なお、図示した例では、垂直駆動部１０５のみがレベルシフタ部１０７を介するようにしている。垂直駆動部１０５は線順次で画素アレイ部１０３を走査するとともに、これに同期して水平駆動部１０６が画像信号を画素アレイ部１０３に書き込む。
【００３８】
画素アレイ部１０３は、図示を割愛するが、１対の基板１０２と両者の間に保持された液晶とを備えたパネル構造を有する。たとえば、画素トランジスタなどを含む画素が、透明絶縁基板、たとえば第１のガラス基板（駆動側基板）上に行列状に２次元配置され、この画素配列に対して行ごとに走査線が配線されるとともに、列ごとに信号線が配線された構成となっている。第１のガラス基板は、第２のガラス基板（対向側基板）と所定の間隙を持って対向配置されるとともに、図示しないシール剤を介して貼り合わされている。そして、そのシール剤の位置よりも内側の領域に液晶材料が封入されることになる。
【００３９】
画素アレイ部１０３には、走査線（ゲート線）１１２と信号線（データ線）１１４が形成されている。両者の交差部には画素電極とこれを駆動する薄膜トランジスタ（ＴＦＴ；Thin Film Transistor）が形成される。画素電極と薄膜トランジスタの組み合わせで画素Ｐを構成する。
【００４０】
詳細は割愛するが、薄膜トランジスタのゲート電極は対応する走査線１１２に接続され、ドレイン領域は対応する画素電極に接続され、ソース領域は対応する信号線１１４に接続される。走査線１１２は垂直駆動部１０５に接続される一方、信号線１１４は水平駆動部１０６に接続される。
【００４１】
垂直駆動部１０５は、駆動信号生成部２００から供給される垂直駆動系のパルス信号に基づいて、走査線１１２を介して各画素Ｐを順次選択する。水平駆動部１０６は、駆動信号生成部２００から供給される水平駆動系のパルス信号に基づいて、選択された画素Ｐに対し信号線１１４を介して画像信号を書き込む。
【００４２】
ここで、水平駆動部１０６は、シフトレジスタやプリチャージ回路およびサンプリングスイッチ（水平スイッチ）などによって構成されており、垂直駆動部１０５によって選択された行の各画素Ｐに対して画素単位で映像信号を書き込む。つまり、本実施形態では、選択行の各画素Ｐに対して映像信号を画素単位で書き込む点順次駆動を行なう。また、映像信号を点順次駆動で画素単位で書き込むに当たっては、画素への書込みを制御するための水平走査クロックＨＣＫのＨ期間とＬ期間の双方において、すなわち水平走査クロックＨＣＫのハーフクロック期間で書込みを行なうことにより書込時間の短縮を図るようにする。
【００４３】
垂直駆動部１０５は、論理ゲートの組合せ（ラッチも含む）によって構成され、画素アレイ部１０３の各画素Ｐを行単位で選択する。なお、図１では、画素アレイ部１０３の一方側にのみ垂直駆動部１０５を配置する構成を示しているが、画素アレイ部１０３を挟んで左右両側に垂直駆動部１０５を配置する構成を採ることも可能である。
【００４４】
同様に、図１では、画素アレイ部１０３の一方側にのみ水平駆動部１０６を配置する構成を示しているが、画素アレイ部１０３を挟んで上下両側に水平駆動部１０６を配置する構成を採ることも可能である。
【００４５】
なお、詳細は後述するが、本実施形態の駆動信号生成部２００は、縦横比（アスペクト比）Ｘ：Ｙ（たとえば９：１６）の比較的幅広の表示画面（以下ワイド画面ともいう）内に縦横比Ｘ：Ｚ（Ｚ＜Ｙ：たとえば３：４）の画像（以下ナロー画像ともいう）を、真円率を崩すことなく表示するべく、水平駆動系の種々のパルス信号の周波数を、ワイド画面内のナロー画像を表示する領域である有効映像領域と、ワイド画面内の有効映像領域を除く領域である無効映像領域とで切り替える構成を有している点に特徴を持つ。
【００４６】
また、この周波数の切替えに当たっては、ＰＬＬ回路などで生成された基準となる１つのクロック信号に基づいて、それぞれ異なる周波数の、領域ごとのパルス信号を生成する点に特徴を持つ。特に、画素への書込みを制御するための水平走査クロックＨＣＫに関しては、周波数を切り替えた場合においても、そのデューティ比を略５０％に維持するようにする点に特徴を有している。本実施形態において、映像信号を点順次駆動で画素単位で書き込むに当たっては、水平走査クロックＨＣＫのＨ期間とＬ期間の双方において書込みを行なうことで書込時間の短縮を図るようにしているが、周波数を切り替えた際にもデューティ比を略５０％に維持することで、同一領域内で、隣接する画素間で書込時間が異なることによる表示ムラが生じないようにする。
【００４７】
また、ワイド画面内にナロー画像を表示するに当たっては、ナロー画像をワイド画面の中央部分に表示する表示形態、ナロー画像を左寄せ表示する表示形態、あるいはナロー画像を右寄せ表示する表示形態などを採ることができる。また、ナロー画像を除いた無効映像領域に関しては、目障りな画像が表示出力されることのないように、いわゆるブランキング処理を行なうようにする。
【００４８】
＜点順次駆動方式の概要＞
図２は、液晶セルを画素の表示エレメント（電気光学素子）に用いたアクティブマトリクス型の液晶表示装置１において、点順次駆動方式の水平駆動回路として、クロックドライブ方式を採用した構成とする場合の構成例を示す図である。水平駆動部１０６は、入力される映像信号Ｖsig を１Ｈごとに順次サンプリングし、垂直駆動部１０５によって行単位で選択される各画素Ｐに対して書き込む処理を行なうためのものであり、図２においては、水平転送処理部１６１と、切替スイッチ群としてのクロック抜取りスイッチ群１６２およびサンプリングスイッチ群１６３を有する構成となっている。
【００４９】
水平転送処理部１６１は、たとえば、画素アレイ部１０３の画素Ｐを水平方向に複数ブロックに分けて同時書込みを行なう構成とする場合には、画素アレイ部１０３の水平画素数／同時サンプリング数（たとえば水平画素数が１０２４、１２ドット同時サンプリングならば、１０２４／１２＝８５余り４で８６個）のシフト段(転送段)からなり、駆動信号生成部２００から供給される水平スタートパルスＨＳＴが与えられると、駆動信号生成部２００から供給される互いに逆相の水平走査クロックＨＣＫ，ｘＨＣＫに同期してシフト動作を行なう。
【００５０】
シフト段には、転送スイッチやＤ型フリップフロップなどで構成されるラッチ回路（シフトレジスタ）が設けられ、それが画素の全列数に応じた個数だけ多段接続されることでシフトレジスタ群が構成される。水平スタートパルスＨＳＴを段ごとに転送して画素の点順次アドレスを行なう。
【００５１】
これにより、水平転送処理部１６１の各シフト段からは、水平走査クロックＨＣＫ，ｘＨＣＫの周期と同じパルス幅を持つシフトパルスＶｓ１〜Ｖｓｎが水平走査クロックＨＣＫ，ｘＨＣＫのハーフクロックごとに順次出力される。これらシフトパルスＶｓ１〜Ｖｓｎは、クロック抜取りスイッチ群１６２の各スイッチ１６２-1〜１６２-nに与えられる。
【００５２】
クロック抜取りスイッチ群１６２のスイッチ１６２-1〜１６２-nは、各一端が水平走査クロックＨＣＫ，ｘＨＣＫを入力するクロックライン１６４-1，１６４-2に交互に接続されており、水平転送処理部１６１の各シフト段からシフトパルスＶｓ１〜Ｖｓｎが与えられることにより、順次オン状態となって水平走査クロックＨＣＫ，ｘＨＣＫを順に抜き取る。これら抜き取られた各パルスは、サンプリングパルスＶｈ１〜Ｖｈｎとしてサンプリングスイッチ群１６３の各スイッチ１６３-1〜１６３-nに与えられる。
【００５３】
サンプリングスイッチ群１６３のスイッチ１６３-1〜１６３-nは、映像信号処理部３００から供給される映像信号Ｖsig を伝送するビデオライン１６５に各一端が接続されており、クロック抜取りスイッチ群１６２のスイッチ１６２-1〜１６２-nで抜き取られて順次与えられるサンプリングパルスＶｈ１〜Ｖｈｎに応答して順にオン状態になることによって映像信号Ｖsig をサンプリングし、画素アレイ部１０３（図示せず；図１を参照）の信号線１１４-1〜１１４-nに供給する。つまり、水平転送処理部１６１からサンプリングパルスＶｈ１〜Ｖｈ４が与えられると、これに応答して順にオン状態となることにより、ビデオライン１６５を通して入力される映像信号Ｖsig を順次サンプリングして信号線１１４-1〜１１４-nに供給する。
【００５４】
なお、液晶表示装置１をカラー画像表示用とする場合には、赤、緑、青の各色対応のビデオライン１６５が設けられ、この各色対応のビデオライン１６５に各色のアナログ映像信号Ｖsig-Ｂ，Ｖsig-Ｒ，Ｖsig-Ｇが独立に供給され、赤、緑、青３つの画素への同時書き込みを行なうようにする。
【００５５】
なおここで示した水平転送処理部１６１とサンプリングスイッチ群１６２，１６３の構成例は一例に過ぎず、水平走査クロックＨＣＫの各論理レベルで画素Ｐに映像信号の書込みを行なうことができる構成を少なくとも備えていればよく、様々な変更が可能である。もちろん、画素アレイ部１０３の画素Ｐを水平方向に複数ブロックに分けて同時書込みを行なう構成であることも必須ではない。
【００５６】
＜駆動信号生成部の概略構成＞
図３および図４は、本実施形態の液晶表示装置１における特徴部分である駆動信号生成部２００の全体概要を説明する図である。ここで、図３は、駆動信号生成部２００の全体概要を示すブロック図である。また、図４は、駆動信号生成部２００にて生成される水平走査系統の各種パルス信号によってナロー画面をワイド画面内に表示する際の表示態様の一例を示す図である。なお、図４では、パネル内の略中央部を有効映像領域に設定し、その両側を無効映像領域に設定しているが、これは一例であって、有効映像領域の位置はパネル中央からずれていてもよいし、無効映像領域が有効映像領域の片側のみに配される場合であってもよい。
【００５７】
図３に示すように、本実施形態の駆動信号生成部２００は、入力される水平同期信号Ｈsyncに基づいてマスタークロックＣＬＫを生成するＰＬＬ回路２１０と、水平走査系統の各種のパルス信号を生成する水平走査系統パルス信号生成部２２０と、垂直走査系統の各種のパルス信号を生成する垂直走査系統パルス信号生成部（垂直走査クロック生成部の一例）２３０とを備えている。
【００５８】
ＰＬＬ回路２１０は、図示を割愛するが電圧制御発振器（ＶＣＯ；Voltage controlled oscillator）と、ループフィルタと、位相比較部と、カウンタ（特にＰＬＬカウンタともいう）とを有している。ＰＬＬ回路２１０においては、水平同期信号Ｈsyncが位相比較部に入力されると、位相比較部は、ＰＬＬカウンタにて生成されるマスタークロックＣＬＫをＨsync周期のクロックまで分周した内部水平同期パルスinthd と、位相を比較する。
【００５９】
位相比較部は、その位相比較結果をループフィルタを介して、マスタークロックＣＬＫを発振している電圧制御発振器の電圧制御入力端子に入力することで、マスタークロックＣＬＫの発振周波数を調整する。これにより、水平同期信号Ｈsyncと内部水平同期パルスinthd の同期をとることができる。なお、本実施形態においては、マスタークロックＣＬＫの発振周波数を、所望の映像表示デバイスに映像を表示するための水平走査クロックＨＣＫ周波数の６倍となるようにする。
【００６０】
水平走査系統パルス信号生成部２２０は、水平駆動系のパルス信号を生成する水平駆動系パルス生成部（水平走査クロック生成部の一例）４００と、映像信号処理系統のパルス信号を生成するビデオサンプルパルス生成部５００（映像サンプル信号生成部の一例）とを備えている。
【００６１】
水平駆動系パルス生成部４００は、ＰＬＬ回路２１０の電圧制御発振器から供給されるマスタークロックＣＬＫおよびＰＬＬカウンタから供給される内部水平同期パルスinthd に基づいて、パネル部１００の水平駆動部１０６を制御するための２値（Ｌ／Ｈ）のパルス信号を生成する。一例として、水平走査クロックＨＣＫや水平スタートパルスＨＳＴを、マスタークロックＣＬＫに同期して所定タイミングで発生する。特に、水平走査クロックＨＣＫに関しては、常にデューティ比を５０％に維持するようにする。
【００６２】
水平走査クロックＨＣＫや水平スタートパルスＨＳＴの位相は、ワイド画面（たとえば縦横比９：１６）などにワイド映像信号に基づいて表示するワイドモードや、ワイド画面にナロー映像信号（たとえば縦横比３：４）に基づいて表示するナローモードに応じて、予め設定された個々の位相に切り替えるようにする。また、好ましくは、水平表示制御パルス位相制御パルスＰ１２に基づいて、その位相を微調整できるようにするのがよい。
【００６３】
垂直走査系統パルス信号生成部２３０は、外部から供給される垂直タイミング信号に基づいてフレーム期間ごとに、水平駆動系パルス生成部４００から供給される水平スタートパルスＨＳＴに同期して垂直スタートパルスＶＳＴを発生するととともに、水平走査期間ごとに垂直走査クロックＶＣＫを発生し、これらを制御信号としてパネル部１００の垂直駆動部１０５に供給する。
【００６４】
ビデオサンプルパルス生成部５００は、水平駆動系パルス生成部４００にて生成される所定の制御パルスに基づいて、映像信号処理部３００を制御するための２値（Ｌ／Ｈ）のパルス信号を生成する。一例として、ビデオサンプルパルスＳＨ１〜ＳＨ４を、マスタークロックＣＬＫに同期して所定タイミングで発生する。
【００６５】
ビデオサンプルパルスＳＨ１〜ＳＨ４の位相は、ワイド画面（たとえば縦横比９：１６）などにワイド映像信号に基づいて表示するワイドモードや、ワイド画面にナロー映像信号（たとえば縦横比３：４）に基づいて表示するナローモードに応じて、予め設定された個々の位相に切り替えるようにする。また、好ましくは、ＳＨパルス位相制御パルスＰ１４に基づいて、その位相を微調整できるようにするのがよい。
【００６６】
また、水平走査系統パルス信号生成部２２０は、無効映像領域の画像信号を無効化するためのビデオブランキングパルスＢＬＫを生成するビデオブランキングパルス生成部６００と、ナロー画像表示動作時に無効映像領域と有効映像領域とで各種のパルス信号の周波数を切り替えるための制御パルスＰ１１を生成する切替制御パルス生成部７００とを備えている。
【００６７】
ビデオブランキングパルス生成部６００は、本実施形態特有の構成として設けられたものであり、無効映像領域に一定レベルの映像を出力させるための映像切替制御信号を生成する映像切替制御信号生成部の一例である。このビデオブランキングパルス生成部６００は、ワイド画面内の所定位置における有効映像領域にナロー画面を表示する際、有効映像領域を除く無効映像領域の画像情報を無効化するビデオブランキングパルスＢＬＫを、水平駆動系パルス生成部４００にて生成される所定の制御パルスに基づいてマスタークロックＣＬＫに同期して所定タイミングで生成する。
【００６８】
ここで、ビデオブランキングパルス生成部６００は、ナロー画像表示時には、無効映像領域に対応する水平期間の所定位置にてアクティブＨのビデオブランキングパルスＢＬＫを出力する一方、ワイド画像表示時には、ビデオブランキングパルスＢＬＫを常時インアクティブ（＝Ｌ）にする。このビデオブランキングパルスＢＬＫは、映像信号処理部３００に供給され、映像信号処理部３００において、ビデオブランキングパルスＢＬＫがアクティブの期間に対応する無効映像領域の映像信号レベルを一定レベルにする。
【００６９】
ビデオブランキングパルスＢＬＫの位相は、ワイド画面（たとえば縦横比９：１６）などにワイド映像信号に基づいて表示するワイドモードや、ワイド画面にナロー映像信号（たとえば縦横比３：４）に基づいて表示するナローモードに応じて、予め設定された位相に切り替えるようにする。また、好ましくは、ＢＬＫアクティブ位置制御パルスＰ１６に基づいて、その位相を微調整できるようにするのがよい。
【００７０】
切替制御パルス生成部７００は、外部から供給される表示アスペクト比切替制御パルスＰ１０（表示モード信号）に基づいて、表示アスペクト比に応じたタイミングと周波数の各種のパルス信号を生成するように水平駆動系パルス生成部４００およびビデオサンプルパルス生成部５００を制御する。
【００７１】
これに対応して、水平駆動系パルス生成部４００およびビデオサンプルパルス生成部５００は、本実施形態特有の構成として、それぞれに参照子−WD，−NRを付して示すように、ワイド画像表示動作用のパルス信号を生成するワイドパルス生成機能部（参照子−WDのもの）とナロー画像表示動作用のパルス信号を生成するナローパルス生成機能部（参照子−NRのもの）とを個別に有している。また、ワイド画像表示動作用のパルス信号とナロー画像表示動作用のパルス信号とを切替制御パルス生成部７００にて生成される制御パルスＰ１１に基づいて切り替える切替部７３０を備えている。なお、ここで示している切替部７３０の配置位置は原理的なものであり、水平駆動系パルス生成部４００やビデオサンプルパルス生成部５００の回路構成に応じて、適宜、それらの内部に入り込んで設けることができる。
【００７２】
ここで、本実施形態においては、ワイド画面にナロー映像信号に基づいて表示するナローモード時には、ワイド画面内の有効映像領域に、縦横比３：４などのナロー画像を真円率を“１”にして表示しつつ、残領域である無効映像領域に、補助画像を表示できるようにする。このため、予め、ナローパルス生成機能部においては、ワイドパルス生成機能部で生成されるパルス信号の周波数よりも低い周波数のパルス信号を生成するようにする。つまり、有効映像領域の水平走査系統のパルス信号の周波数をそれ以外の無効映像領域に対して低くなるようにする。
【００７３】
そして、切替部７３０にて、切替制御パルス生成部７００で生成される制御パルスＰ１１に基づいて、ワイドパルス生成機能部（参照子−WDのもの）で生成されるワイド対応の周波数のパルス信号と、ナローパルス生成機能部（参照子−NRのもの）で生成されるワイド対応よりも低い周波数のパルス信号とを切り替えることで、有効映像領域と無効映像領域とで、パルス信号の周波数を切り替えるようにする。
【００７４】
こうすることで、マスタークロックＣＬＫの周波数を変更するのではなく、映像表示デバイスの水平駆動周波数（水平走査クロックＨＣＫの周波数）を有効映像領域とそれ以外の無効映像領域で切り替える、つまり１水平走査期間内で切り替えることができる。また、水平走査クロックＨＣＫの周波数を有効映像領域とそれ以外の無効映像領域で切り替えることと連動して、映像信号処理系統のパルス信号（本例ではビデオサンプルパルスＳＨ）に関しても、水平走査クロックＨＣＫの周波数切替えと同様のタイミングで、１水平走査期間内で周波数を切り替える。
【００７５】
これにより、図４（Ｂ）の画面中央部に示すように、たとえば３：４のナロー映像信号に基づいて、このナロー映像信号よりも広い（たとえば９：１６）の画角の映像表示デバイスに、真円率を崩すことなく正常に表示することができるようになる。ある一定周波数の水平走査クロックＨＣＫでシフト動作を行なうと、図４（Ａ）に示すように、９：１６のワイドパネルに３：４の映像が入ってきた場合には、水平方向が４／３倍に引き伸ばされる結果、９：１６の画面全体に横に伸びた映像表示がなされてしまう。これに対して、本実施形態では、有効映像領域のみ水平走査系統のパルス信号の周波数を低下させて表示制御を行なうようにしたので、９：１６のワイドパネルに３：４の映像が入ってきた場合には、水平方向を３／４倍に圧縮して表示することができ、ワイド画面内に表示されるナロー画像の真円率を維持させることができる。
【００７６】
なお、有効映像領域を除く無効映像領域については、無用な画像が表示されることで目障りとなることがないように、図４（Ｂ）の画面左右部に示すように、黒などの一定レベルの映像を表示させるのがよい。このため、ビデオブランキングパルスＢＬＫを利用して、３：４の映像表示期間を除く期間の映像信号を一定レベルの信号に置き換えて、映像表示デバイスの無効映像領域に表示を行なう。たとえば、有効映像領域開始前のブランキング期間中に左右黒枠書込みを行ない、水平走査クロックＨＣＫは黒枠書き込み部と有効映像領域の境界において周波数を切り替える。
【００７７】
この際には、パネル部１００の水平転送処理部１６１におけるシフト動作を、有効映像領域と無効映像領域とで独立に行なうことができるようにすることで、映像信号Ｖsig そのものに対しての処理を行なうことなく対処することができる。この場合、一例として、図４（Ｂ）の画面外の上部に示すように、無効映像領域については、両サイドから同時に順次表示を行ないつつ、有効映像領域については、左（もしくは右）の無効映像領域の書込み終了後に引き続いて点順次駆動により表示を行なうように制御することができる。この点に関しては、後述する。
【００７８】
＜パルス信号のタイミング＞
図５は、本実施形態の駆動信号生成部２００において生成される水平スタートパルスＨＳＴおよび水平走査クロックＨＣＫ並びにビデオサンプルパルスＳＨ１〜ＳＨ４と、クロック信号マスタークロックＣＬＫおよび水平同期信号Ｈsyncとの関係を示すタイミングチャートの一例である。
【００７９】
ナロー画像表示動作時は、図５において、水平走査クロックＨＣＫのリセット位置ｔ１０から水平走査クロックＨＣＫの周波数切替え位置ｔ１２が無効映像領域に対応し、切替制御パルス生成部７００で生成される制御パルスＰ１１によって設定される。
【００８０】
切替部７３０がワイドパルス生成機能部で生成されるパルス信号とナローパルス生成機能部で生成されるパルス信号の切替動作を制御パルスＰ１１に基づいて行なう。これにより、水平スタートパルスＨＳＴのアクティブ期間が、ワイド画像表示動作時にはワイド画面における有効映像領域の開始点に設定されるが、ナロー画像表示動作時には一定レベルの信号置換期間（図５のｔ１１）より手前に設定される。これにより、映像表示デバイスの有効映像領域の開始位置（周波数切替え位置ｔ１２）の手前側の無効映像領域にも一定レベル（たとえば黒レベル）の信号表示を行なうことができるようになる。
【００８１】
また、水平走査クロックＨＣＫとビデオサンプルパルスＳＨは、期間ｔ１０〜ｔ１２では、ワイドパルス生成機能部で生成されるパルス信号が選択されるので、通常（ワイド画像用）の周波数のパルス信号に基づいて表示制御が行なわれる。一方、期間ｔ１０〜ｔ１２を除く期間では、ナローパルス生成機能部で生成されるパルス信号が選択されるので、通常の周波数よりも低い周波数のパルス信号に基づいて表示制御が行なわれる。なお、水平走査系統のみ周波数の切替えを行ない、垂直走査系統は、周波数の切替えを行なう必要はない。
【００８２】
たとえば、期間ｔ１０〜ｔ１２を除く期間では、水平走査クロックＨＣＫはデューティ比を５０％に維持した状態で周波数が低くなり、ビデオサンプルパルスＳＨは、周波数が低くなった水平走査クロックＨＣＫに合わせて出力される。また、水平スタートパルスＨＳＴについては、ワイド画像表示動作時に対して一定レベルの信号表示期間分だけ水平同期信号Ｈsyncに近い位置でアクティブとなる。
【００８３】
また、ビデオブランキングパルスＢＬＫは、少なくとも、水平走査クロックＨＣＫのリセット位置ｔ１０から水平走査クロックＨＣＫの周波数切替え位置ｔ１２の間はアクティブＨとなる。本実施形態では、有効映像領域の左右両側に無効映像領域を配するべく、それよりも多少の広がりを持つようにしており、水平走査クロックＨＣＫのリセット位置ｔ１０よりも手前の位置ｔ１４から水平走査クロックＨＣＫの周波数切替え位置ｔ１２の間をアクティブＨとしており、時間軸上では、実際の無効映像領域が原理上の無効映像領域よりも広くなる。なお、ワイド画像表示動作時は、ビデオブランキングパルスＢＬＫはＬ出力固定となる。
【００８４】
たとえば、水平走査クロックＨＣＫのリセット位置ｔ１０から水平走査クロックＨＣＫの周波数切替え位置ｔ１２までの原理上の無効映像領域については、１水平走査クロックＨＣＫをマスタークロックＣＬＫ（たとえば周波数＝２０．０ＭＨｚ）の６つ分（６ｆＨ仕様という）にする。すなわち、水平走査クロックＨＣＫのリセット位置ｔ１０をＦＲＰ反転位置とし、リセット位置ｔ１０後は、１ＨＣＫ＝６ｆＨで出力する。こうすることで、水平走査クロックＨＣＫの周波数は約３．３ＭＨｚになる。６ｆＨ仕様時における水平走査クロックＨＣＫのデューティ比は５０％である。
【００８５】
なお、ＦＲＰ反転位置は、１Ｈ（１水平走査期間）反転駆動を行なう際の切替位置である。ここで、１Ｈ反転駆動とは、１水平期間ごとに映像信号の極性反転を行ない、奇数ラインと偶数ラインで極性が反転した表示を行なうことでフリッカ（Flicker ）を相殺し、表示画面全体ではフリッカのない表示を提供する駆動方式である。
【００８６】
さらに、水平走査クロックＨＣＫの周波数切替え位置ｔ１２後においては、水平走査系統のパルス信号の周波数を３／４倍に低下させるべく、マスタークロックＣＬＫの分周比を有効映像領域の方が無効映像領域よりも大きくなるようにする。具体的には、１水平走査クロックＨＣＫをマスタークロックＣＬＫの８つ分（８ｆＨ仕様という）にする。すなわち、周波数切替え位置ｔ１２後は、１ＨＣＫ＝８ｆＨで出力する。こうすることで、水平走査クロックＨＣＫの周波数は２．５ＭＨｚになる。マスタークロックＣＬＫの４つ分を水平走査クロックＨＣＫの各論理レベルに割り当てるようにすることで、８ｆＨ仕様時にも、水平走査クロックＨＣＫのデューティ比を５０％に維持することができる。
【００８７】
また、水平走査クロックＨＣＫの周波数を１水平走査期間内で切り替える際には、その他の水平走査系統のパルス信号についても、水平走査クロックＨＣＫの周波数切替えと同様のタイミングで、１水平走査期間内で周波数を切り替える。たとえば、ビデオサンプルパルスＳＨに関しては、水平走査クロックＨＣＫの周波数切替え位置ｔ１２の前では、ワイドモード時と同様に、水平走査クロックＨＣＫのハーフクロック（＝３ＣＬＫ）を３分割してビデオサンプルパルスＳＨとする。一例としては、ビデオサンプルパルスＳＨ２は常時Ｈレベルとし、残りのビデオサンプルパルスＳＨ１，ＳＨ３，ＳＨ４のそれぞれに、１ＣＬＫ分のＨレベルを与える。また、周波数切替え位置ｔ１２後にはマスタークロックＣＬＫの逆相を用いて、水平走査クロックＨＣＫのハーフクロック（＝４ＣＬＫ）を３分割した近似位置にビデオサンプルパルスＳＨを出力することで８ｆＨ仕様とする。
【００８８】
このように、本実施形態の駆動信号生成部２００によれば、ＰＬＬ回路２１０にて生成される１つの基準クロックに基づいて、ワイド画像表示動作用の通常周波数のパルス信号とナロー画像表示動作用の通常周波数よりも低周波数のパルス信号とを選択的に生成するので、映像表示をしたままで切り替えても、画像乱れを起すことがない。また、マスタークロックＣＬＫの周波数を低下させてワイド画像表示動作とナロー画像表示動作とを切り替えるものではないので、無効映像領域に一定レベルの信号を表示するためのビデオブランキングパルスＢＬＫの期間が少なくなることもない。
【００８９】
また、水平走査クロックＨＣＫに関しては、デューティ比を５０％に維持したままで周波数を切り替えるようにしているので、点順次駆動方式で２値の水平走査クロックＨＣＫの各論理レベルで画素に映像信号の書込みを行なう際に、周波数を切り替えても、隣接画素間で表示時間の差が生じることはない。
【００９０】
また、ＰＬＬ回路２１０にて生成される１つの基準クロックに基づいてワイド画像表示動作用とナロー画像表示動作用の各パルス信号を生成するものであり、ＰＬＬ回路を複数持つ必要はないので、ＰＬＬ回路の回路規模を増大させることもない。ワイド画像表示動作用とナロー画像表示動作用の各パルス信号を生成する機能部や、各パルス信号を切り替えるための機能要素は、デコーダやフリップフロップやセレクタといった比較的簡易な構成でよく、全体としても、ＰＬＬ回路を複数持つ場合に比べて、回路規模を小さくすることができる。
【００９１】
なお、ビデオサンプルパルスＳＨ１〜ＳＨ４は、映像信号処理部３００に供給され、ＲＧＢ各色の画素Ｐに対して、各時間上の情報を表示するためのサンプルホールドシステムに用いられる。たとえば、水平走査クロックＨＣＫのハーフクロック期間を３等分し、各ビデオサンプルパルスＳＨ１，ＳＨ２，ＳＨ３をそれぞれ赤、緑、青のアナログ映像信号Ｓ１-Ｂ，Ｓ１-Ｒ，Ｓ１-Ｇのサンプリングホールド制御パルスとして独立に用いて第１のサンプルホールド処理を行なう。
【００９２】
この後、ビデオサンプルパルスＳＨ４を赤、緑、青のアナログ映像信号Ｓ２-Ｂ，Ｓ２-Ｒ，Ｓ２-Ｇのサンプリングホールド制御パルスとして共通に用いて、第１のサンプルホールド処理にて生成される各アナログ映像信号出力Ｓ２-Ｂ，Ｓ２-Ｒ，Ｓ２-Ｇに対して第２のサンプルホールド処理（特にリサンプリング処理という）を行なう。つまり、第４のビデオサンプルパルスＳＨ４のタイミングで、各色Ｂ，Ｇ，Ｒの全ての映像信号がリサンプリングされる。リサンプル処理で得られる映像信号Ｖsig-B ，Ｖsig-G ，Ｖsig-Rを、パネル部１００の各色対応のビデオライン１６５に供給することで、赤、緑、青３つの画素への同時書き込みを行なう。
【００９３】
なお、本実施形態においては、４種類のビデオサンプルパルスＳＨ１，ＳＨ２，ＳＨ３，ＳＨ４のうち、緑色用のビデオサンプルパルスＳＨ２については、常時アクティブ（＝Ｈ）にする。このため、緑色の映像信号はスルーとなる。
【００９４】
また、図示したビデオサンプルパルスＳＨ１〜ＳＨ４のタイミングは、水平方向の左側から右側、具体的には、表示パネル部１００の物理的な左を基準にしたとき、その左側から右側に向けて転送する正転送時のものであり、水平方向の右側から左側に向けて転送する反転送時には、ＳＨ２とＳＨ３を入れ替える。
【００９５】
＜水平駆動部のシフトレジスタの詳細＞
図６は、パネル部１００に設けられる水平駆動部１０６の構成例を示す図である。
図７は、比較例としての本実施形態を適用しない場合の水平駆動部１０６の構成例を示す図である。
【００９６】
ここで示す水平駆動部１０６は、ワイド画面内にナロー画像を真円率を崩すことなく表示させる際に、マスタークロックＣＬＫの周波数を変更するのではなく、水平走査系統のパルス信号の周波数を有効映像領域とそれ以外の無効映像領域で（つまり１水平走査期間内で）切り替える仕組みとの組合せにおいて非常に有効な構成およびシフト動作である。
【００９７】
本例の水平転送処理部１６１のシフト動作は、有効映像領域と無効映像領域（特に有効映像領域の終了位置以降の部分）とで独立に行なうことができるようにしている点に特徴を有している。ここで、ワイド画面内の中央部を有効映像領域としてナロー画像を真円率を崩さないように表示させる場合のシフト動作の概要を説明すると、以下の通りである。先ず、水平スタートパルスＨＳＴのアクティブ期間を、有効映像領域手前の無効映像領域に対応する位置より手前に設定する。これにより、有効映像領域の開始位置手前側の無効映像領域にも一定レベル（たとえば黒レベル）の信号表示を行なうことができるようになる。
【００９８】
また、逆側の無効映像領域、すなわち有効映像領域の終了位置以降の無効映像領域については、有効映像領域手前側の無効映像領域に一定レベルの信号を書き込んでいる際に、同時に逆側からシフト動作を行なう。これにより、有効映像領域の開始位置手前側と終了位置以降の両無効映像領域に、一定レベル（たとえば黒レベル）の信号表示を同時に行なうことができるようになる。
【００９９】
これらの一定レベルの信号に置き換えを行なう期間については、ビデオブランキングパルス生成部６００にて生成されるビデオブランキングパルスＢＬＫに基づいて映像信号の一定レベル置換え制御を行なう。なお、パネル部１００に入力される映像信号Ｖｓｉｇは、３：４のナロー画像（有効映像）そのものであり、この３：４のナロー画像には、信号を一定レベルに置き換える際の信号レベルが特に用意されていない。このため、ここでは、一般的に走査信号間に設けられるブランキング信号（黒信号）を置換後の一定レベルに利用する。以下具体的に説明する。
【０１００】
基本的には、水平転送処理部１６１に供給される水平スタートパルスＨＳＴは、左右反転制御信号ＲＧＴ（RiGhT ）およびその逆位相の左右反転制御信号ｘＲＧＴにより、左側からの水平スタートパルスｌＨＳＴ（先頭の“ｌ”はleftを意味する）あるいは右側からの水平スタートパルスｒＨＳＴ（先頭の“ｒ”はright を意味する）の何れかにレベルシフトされる回路構成になっている。また、左右反転制御信号ＲＧＴがアクティブＨのときには、水平方向の左側から右側に向けて転送する正転送を意味し、左右反転制御信号ＲＧＴ，ｘＲＧＴを水平転送処理部１６１内の転送スイッチに入力することにより、転送方向を選択できるようになっている。
【０１０１】
すなわち、図６（Ａ）において、先ず、水平転送処理部１６１は、転送方向の逆転が可能な構成のものとする。また、水平駆動部１０６は、水平転送処理部１６１の近傍に、水平スタートパルスＨＳＴ用のレベルシフタ部１０７Ｈが、左側の無効映像領域Invalid-left用（レベルシフタ部１０７Ｈ-left ）と右側の無効映像領域Invalid-right 用（レベルシフタ部１０７Ｈ-right）を備えている。レベルシフタ部１０７Ｈ-left からは左側からの水平スタートパルスｌＨＳＴが出力され、水平転送処理部１６１の無効映像領域Invalid-leftの入力端１６１Ｌinに供給される一方、レベルシフタ部１０７Ｈ-rightからは右側からの水平スタートパルスｒＨＳＴが出力され、水平転送処理部１６１の無効映像領域Invalid-right の入力端１６１Ｒinに供給される。
【０１０２】
なお、各レベルシフタ部１０７Ｈ-left ，-rightは、有効画像領域（Effective ）用にも利用される。何れが有効画像領域用に利用されるかは、転送方向によって決まり、本実施形態においては、水平方向の左側から右側に向けて転送する正転送時にはレベルシフタ部１０７Ｈ-left が有効画像領域用に利用され、水平方向の右側から左側に向けて転送する反転送時にはレベルシフタ部１０７Ｈ-rightが有効画像領域用に利用される。この制御は、左右反転制御信号ＲＧＴ，ｘＲＧＴに基づいて行なわれる。なお、無効映像領域の位置やサイズは、ビデオブランキングパルス生成部６００から入力されるビデオブランキングパルスＢＬＫに基づいて任意に設定・変更することができる。
【０１０３】
また、水平駆動部１０６は、ワイド画面内の中央部を有効映像領域としてナロー画像を真円率を崩さないように表示させるための制御パルスを生成する領域別表示制御信号生成部（以下単に表示制御信号生成部と記す）８００を備えている。領域別表示制御信号生成部８００は、左側の無効映像領域Invalid-left用の領域別表示制御信号生成部８００-left 、右側の無効映像領域Invalid-right 用の領域別表示制御信号生成部８００-rightが、独立に設けられている。領域別表示制御信号生成部８００-left には左右反転制御信号ＲＧＴが供給され、領域別表示制御信号生成部８００-rightには左右反転制御信号ｘＲＧＴが供給され、また各領域別表示制御信号生成部８００-left ，-rightには、表示アスペクト比切替制御パルスＰ１０に相当する表示領域切替信号ＮＲＷ（NaRroW）が共通に供給される。表示領域切替信号ＮＲＷがアクティブＨのときには、ワイドパネル内の所定位置にナロー画像を、その画像の真円率を維持して表示するモードになる。
【０１０４】
領域別表示制御信号生成部８００-left は、有効映像領域左側の無効映像領域Invalid-leftの転送スイッチに供給する制御信号ＮＲＬ（NaRrow Left ）およびその逆相の制御信号ｘＮＲＬを生成する。また、領域別表示制御信号生成部８００-rightは、有効映像領域右側の無効映像領域Invalid-right の転送スイッチに供給する制御信号ＮＲＲ（NaRrow Right）およびその逆相の制御信号ｘＮＲＲを生成する。なお、有効映像領域の転送スイッチには、左右反転制御信号ＲＧＴ，ｘＲＧＴが供給される。
【０１０５】
領域別表示制御信号生成部８００は、水平スタートパルスＨＳＴを同時に選択しつつ左側からの水平スタートパルスｌＨＳＴおよび右側からの水平スタートパルスｌＨＳＴにレベルシフトするための制御信号を、たとえば左右反転制御信号ＲＧＴ，ｘＲＧＴと表示領域切替信号ＮＲＷの論理合成を行なうことで、各制御信号ＮＲＬ，ｘＮＲＬ，ＮＲＲ，ｘＮＲＲを生成する。
【０１０６】
一方、画素Ｐに与える映像信号に関しては、走査信号間に設けられるブランキング信号（黒信号）を、無効映像領域にて黒画像などを表示するための一定レベルの信号に利用するための映像信号切替制御部８２０として、図６（Ｂ）に示すように、ブランキング信号抽出部８２２と、映像信号処理部３００から供給される映像信号Ｖsig とブランキング信号抽出部８２２で抽出されるブランキング信号とをビデオブランキングパルス生成部６００から供給されるビデオブランキングパルスＢＬＫに基づいて切り替えビデオライン１６５に出力する映像信号切替部８２４とを備えている。
【０１０７】
このような構成により、水平駆動部１０６は、水平スタートパルスＨＳＴを水平転送処理部１６１の両側から入力できる回路構成となる。これにより、両側の無効映像領域では、水平スタートパルスＨＳＴを無効映像領域用の書込み開始パルスとして使用して互いに反対方向への転送が可能となり、ブランキング信号（黒信号）を左右同時に順次サンプリングしていくことができる。有効映像領域の転送は、無効映像領域の最終段のシフトパルスの何れか一方を有効映像領域用の書込み開始パルスとして選択して転送を開始し、以降は、無効映像領域での転送処理と同様の転送処理を行なう。つまり、何れか一方の無効映像領域から有効映像領域に亘って連続的に水平スタートパルスＨＳＴを段ごとに転送して画素の点順次アドレスを行なう。他方の無効映像領域に関しては、有効映像領域に達した段階で水平スタートパルスＨＳＴの転送を停止する。ここで、有効映像領域の転送時には、水平走査クロックＨＣＫの周波数が低下している。
【０１０８】
これに対して、図７に示す比較例の構成では、装置に入力される映像信号は、外部の映像処理回路（ＤＳＰ）で３：４の有効映像の左右に黒表示部のデータを付加し、黒→有効映像→黒の９：１６サイズの映像データをＮＴＳＣ規格にスクイーズしたものである。ゆえに、ある一定のサンプリング周波数で順次転送を繰り返すことで、９：１６の画面に正確な３：４の映像表示を可能とする。
【０１０９】
このとき、水平転送処理部１６１の水平スタートパルスＨＳＴは、左右反転制御信号ＲＧＴおよびその逆位相のｘＲＧＴにより、ｌＨＳＴあるいはｒＨＳＴの何れかにレベルシフトされる回路構成になっている。また、この左右反転制御信号ＲＧＴおよびその逆位相のｘＲＧＴを水平転送処理部１６１内の転送スイッチに入力することにより、転送方向を選択できるようにしている。
【０１１０】
図７では、転送方向を指示する制御信号ＲＧＴ（ｘＲＧＴ）が全ての転送スイッチに共通に供給されるのに対して、図６に示した本実施形態の構成では、領域別に転送方向を制御できるように、各制御信号ＮＲＬ（ｘＮＲＬ），ＮＲＲ（ｘＮＲＲ）を生成する機能部として表示制御信号生成部８００を新規に設けるとともに、各制御信号ＲＧＴ（ｘＲＧＴ），ＮＲＬ（ｘＮＲＬ），ＮＲＲ（ｘＮＲＲ）を領域別に供給するようにしている点が大きく異なる。
【０１１１】
＜領域別表示制御信号生成部の構成例＞
図８は、領域別表示制御信号生成部８００の一構成例を示す論理回路図である。本構成例の領域別表示制御信号生成部８００は、図示するように、表示領域切替信号ＮＲＷと左右反転制御信号ＲＧＴ（もしくはｘＲＧＴ）の供給を受けるＯＲゲート８０２と、ＯＲゲート８０２から出力される論理和を論理反転するインバータ８０４とを備えている。
【０１１２】
このような構成により、表示領域切替信号ＮＲＷと左右反転制御信号ＲＧＴは、ＯＲゲート８０２により論理和が取られる。その論理和出力が、有効映像領域左側の無効映像領域Invalid-leftの転送スイッチに供給される制御信号ＮＲＬとして利用され、かつＯＲゲート８０２の論理和出力をインバータ８０４で論理反転した出力が、有効映像領域左側の無効映像領域Invalid-leftの転送スイッチに供給される制御信号ｘＮＲＬとして利用される。
【０１１３】
また、表示領域切替信号ＮＲＷと左右反転制御信号ｘＲＧＴは、ＯＲゲート８０２により論理和が取られる。その論理和出力が、有効映像領域右側の無効映像領域Invalid-right の転送スイッチに供給される制御信号ＮＲＲとして利用され、かつＯＲゲート８０２の論理和出力をインバータ８０４で論理反転した出力が、有効映像領域右側の無効映像領域Invalid-right の転送スイッチに供給される制御信号ｘＮＲＲとして利用される。
【０１１４】
図９は、領域別表示制御信号生成部８００の特性を示す一覧表（Ａ）と、各領域内の転送スイッチの形態を示す図（Ｂ）である。なお、水平駆動部１０６は、ワイドパネル（縦横比Ｘ：Ｙとする）を用いる場合に、縦横比Ｘ：Ｙの映像信号を用いたワイド表示と縦横比Ｘ：Ｚ（Ｚ＜Ｙ）の映像信号を用いたナロー表示の切替えが可能に構成されている。表示モードにおいて、“３：４”は、ワイドパネルの有効映像領域内に、縦横比が３：４の映像信号に基づくナロー画像を、真円率を維持して表示するモードであり、“９：１６”は、ワイドパネル全面に、縦横比が９：１６の映像信号に基づくワイド画像を表示するモードである。
【０１１５】
先ず、各制御信号ＮＲＬ，ｘＮＲＬ，ＮＲＲ，ｘＮＲＲの意味について説明する。制御信号ＮＲＬがアクティブＨのときには、左側の無効映像領域Invalid-leftから転送を開始することが有効であることを意味し、表示モードに拘わらず、正転送時には必ずアクティブＨになる。制御信号ＮＲＲがアクティブＨのときには、右側の無効映像領域Invalid-right から転送を開始することが有効であることを意味し、表示モードに拘わらず、反転送時には必ずアクティブＨになる。
【０１１６】
また、表示領域切替信号ＮＲＷがアクティブＨの３：４の表示モード時には、左側の無効映像領域Invalid-leftと右側の無効映像領域Invalid-right の双方から同時に転送を開始するべく、制御信号ＮＲＬ，ＮＲＲはともに、転送方向に拘わらず、必ずアクティブＨになる。一方、表示領域切替信号ＮＲＷがインアクティブＬの９：１６の表示モード時には、左右反転制御信号ＲＧＴで示される転送方向に応じて、左側および右側の何れか一方のみから転送を開始するので、制御信号ＮＲＬがアクティブＨのときには制御信号ＮＲＲがＬレベルに、制御信号ＮＲＲがアクティブＨのときには制御信号ＮＲＬがＬレベルになる。
【０１１７】
このような意味を持つ各制御信号ＮＲＬ，ｘＮＲＬ，ＮＲＲ，ｘＮＲＲが、各領域の転送スイッチの転送方向制御入力端子に供給される。水平転送処理部１６１を構成する転送スイッチの接続形態そのものは、図２にて説明したように、基本的には、従来の転送回路のものと全く同様であり、水平スタートパルスＨＳＴを順次後段にシフトする動作を行なうように接続されている。
【０１１８】
各転送スイッチには、相補入力が入力される２つの転送方向制御入力端子ＩＮ、ｘＩＮがあり、正転送方向制御入力端子ＩＮにＨレベル、反転送方向制御入力端子ｘＩＮにＬレベルが入力されると正転送を行ない、正転送方向制御入力端子ＩＮにＬレベル、反転送方向制御入力端子ｘＩＮにＨレベルが入力されると反転送を行なうようになっている。
【０１１９】
また、本例においては、転送方向が左右反転制御信号ＲＧＴ，ｘＲＧＴで制御されることに加えて、無効映像領域の位置やサイズが、ビデオブランキングパルス生成部６００から入力されるビデオブランキングパルスＢＬＫに基づいて任意に設定・変更することができるようになっている。このため、図示を割愛するが、各転送スイッチを左側の無効映像領域と右側の無効映像領域と有効映像領域とに適切に割り当てるべく、ビデオブランキングパルスＢＬＫに基づいて、制御信号ＲＧＴ（ｘＲＧＴ），ＮＲＬ（ｘＮＲＬ），ＮＲＲ（ｘＮＲＲ）の何れを転送スイッチの転送方向制御入力端子に供給するかを切り替える切替スイッチが設けられる。この点は、従来の転送回路では、転送方向を指示する制御信号ＲＧＴ（ｘＲＧＴ）が全ての転送スイッチに共通に供給されるのとは異なる。
【０１２０】
この結果、図９（Ｂ）に示すように、表示領域切替信号ＮＲＷがアクティブＨの３：４の表示モード時に、黒表示などの一定レベルを表示する左側の無効映像領域用の転送スイッチには、制御信号ＮＲＬが正転送方向制御入力端子ＩＮに供給され、制御信号ｘＮＲＬが反転送方向制御入力端子ｘＩＮに供給される。よって、図示するように、制御信号ＮＲＬがＨレベルで制御信号ｘＮＲＬがＬレベルのときには、左側の無効映像領域用の転送スイッチは正転送を行なうようになる。
【０１２１】
同様に、表示領域切替信号ＮＲＷがアクティブＨの３：４の表示モード時に、有効映像領域用の転送スイッチには、制御信号ＲＧＴが正転送方向制御入力端子ＩＮに供給され、制御信号ｘＲＧＴが反転送方向制御入力端子ｘＩＮ（図中に印で示すもの）に供給される。よって、図示するように、制御信号ＲＧＴがＨレベルで制御信号ｘＲＧＴがＬレベルのときには、有効映像領域用の転送スイッチは正転送を行なうようになる。
【０１２２】
これに対して、表示領域切替信号ＮＲＷがアクティブＨの３：４の表示モード時に、黒表示などの一定レベルを表示する右側の無効映像領域用の転送スイッチには、制御信号ＮＲＲが反転送方向制御入力端子ｘＩＮ（図中に印で示すもの）に供給され、制御信号ｘＮＲＲが正転送方向制御入力端子ＩＮに供給される。よって、図示するように、制御信号ＮＲＲがＨレベルで制御信号ｘＮＲＲがＬレベルのときには、右側の無効映像領域用の転送スイッチは反転送を行なうようになる。
【０１２３】
＜正転送時の転送スイッチの動作の概要＞
図１０および図１１は、水平転送処理部１６１を構成する転送スイッチの正転送時の動作の概要を説明する図である。ここで、図１０は、正転送時の各転送スイッチの状態を示す図であり、図１１は、正転送時の動作を説明するタイミングチャートである。９：１６のワイドパネル画面に３：４のナロー映像信号に基づいて真円率を維持しつつ映像表示を行なう場合を前提として示している。本例では、水平転送処理部１６１の転送段数をｎ段としており、水平転送処理部１６１内には、Ｄ型フリップフロップなどで構成されるシフトレジスタ（Ｓ／Ｒ；Shift Register）１６８が、１，２，…，ｎ，ｎ／４＋１，…，ｎ−１，ｎという順に、図中に“■”や“□”で示す転送スイッチを介して、従属接続されている。
【０１２４】
各シフトレジスタ１６８からは、シフトされた水平スタートパルスＨＳＴに相当する水平走査クロックＨＣＫ，ｘＨＣＫの周期と同じパルス幅を持つシフトパルスＨＯＵＴ（Ｖｓ１〜Ｖｓｎ）が水平走査クロックＨＣＫ（ｘＨＣＫ）のハーフクロックごとに順次出力される。このシフトパルス出力は、後段のシフトレジスタ１６８に渡されるとともに、図中に矢印で示されたノードを介して、図示を割愛した（図２を参照）スイッチ群の各スイッチに与えられる。
【０１２５】
図１０において、“■”は転送スイッチがクローズ状態（後段への転送がオン状態）であることを示し、“□”は転送スイッチがオープン状態（後段への転送がオフ状態）であることを示している。なお、“■”および“□”は、何れも、転送スイッチの状態を模式的に示すものであり、転送段の途中に物理的なスイッチが挿入されているものではない。この点は、転送段の途中に物理的なスイッチが挿入されている特開平７−２９８１７１号に記載の仕組みと大きく異なる。
【０１２６】
また、図１０において、ハッチングを示さない部分の転送スイッチは有効画像領域Effective を表し、その両側のハッチングで示している部分の転送スイッチは、左側の無効映像領域Invalid-leftおよび右側の無効映像領域Invalid-right の、それぞれ黒表示などの一定の映像信号レベルで表示を行なう領域を表している。
【０１２７】
また図１１おいて、各シフトパルス１，２，…，ｎ，ｎ／４＋１，…，ｎ−１，ｎは、図１０中の矢印で示されたノードにおけるシフトパルスＨＯＵＴを示している。図１０と同様に、ハッチングを示さない部分のシフトパルスＨＯＵＴは有効画像領域Effective 用を表し、その両側のハッチングで示している部分のシフトパルスＨＯＵＴは、左側の無効映像領域Invalid-leftおよび右側の無効映像領域Invalid-right の、それぞれ黒表示などの一定の映像信号レベルで表示を行なう領域用を表している。図から分かるように、水平走査クロックＨＣＫの周波数は、無効映像領域Invalid と有効画像領域Effective の境界で切り替わるようになっており、無効映像領域Invalid では、本来のワイドパネル用に合わせて比較的高周波数（本例では６ｆＨ仕様）に設定されている一方、有効画像領域Effective では、ワイドパネル内にナロー画像を真円率を維持して表示するべく比較的低周波数（本例では８ｆＨ仕様）に設定されている。
【０１２８】
正転送の場合、図１０に示すように、左側からの水平スタートパルスｌＨＳＴと右側からの水平スタートパルスｒＨＳＴが水平転送処理部１６１の両側から入力される。そして、本例においては、左側からの水平スタートパルスｌＨＳＴは１段目のシフトレジスタ１６８からｎ／４段目のシフトレジスタ１６８まで、右側からの水平スタートパルスｒＨＳＴはｎ段目のシフトレジスタ１６８から３ｎ／４＋１段目のシフトレジスタ１６８までそれぞれ反対の方向に転送を行なう。このときに映像信号切替部８２４は、ブランキング信号抽出部８２２で抽出されるブランキング信号（本例では黒レベル）をビデオライン１６５に出力するので、左右の無効映像領域内には、黒枠表示がなされるようになる。
【０１２９】
有効映像領域内は正転送なので、左側および右側の各無効映像領域内での転送がそれぞれ最終段まで達すると、左側の無効映像領域の最終段であるｎ／４段目のシフトレジスタ１６８は正転送方向に対してクローズ状態（図中の矢印Ｘを参照）になっているので、そのｎ／４段目のシフトレジスタ１６８から出力される転送パルス（図１１のｎ／４）が、有効映像領域の書込み開始パルスとして、有効映像領域左端のｎ／４＋１段目のシフトレジスタ１６８に供給される。
【０１３０】
有効映像領域内では、左側の無効映像領域の最終段から供給されたシフトパルスを書込み開始パルスとして使用して、無効映像領域（６ｆＨ仕様）の７５％のサンプリング周波数（８ｆＨ仕様）で３ｎ／４段目のシフトレジスタ１６８まで転送を行なう。このときに映像信号切替部８２４は、映像信号処理部３００から供給される３：４のナロー映像信号をビデオライン１６５に出力するので、有効映像領域内には、３：４のナロー画像が表示されるようになる。
【０１３１】
有効映像領域内での転送が最終段、すなわち３ｎ／４段目のシフトレジスタ１６８まで達すると、その３ｎ／４段目のシフトレジスタ１６８は正転送方向に対してオープン状態（図中の矢印Ｙを参照）になっているので、シフトパルスが、それ以降の右側の無効映像領域用のシフトレジスタ１６８に入力されることはない。
【０１３２】
一方、右側の無効映像領域の最終段である３ｎ／４＋１段目のシフトレジスタ１６８は正転送方向に対してオープン状態（図中の矢印Ｚを参照）になっているので、シフトパルスが、それ以降の有効像領域用のシフトレジスタ１６８に入力されることはない。
【０１３３】
転送方向と同一の最終段のシフトレジスタ１６８まで転送を行ない、その最終段で転送を停止させることで、ナロー表示される有効映像領域と無効映像領域の継目に位置する一対のシフトレジスタ１６８の間に接続ゲート素子を介在させなくても、シフトレジスタの分割化を確実なものとすることができる。
【０１３４】
つまり、ワイドパネル内にナロー画像を真円率を維持して正転送で表示する際には、無効映像領域左右から互いに逆方向に転送を行ないつつ一定レベル（本例では黒レベル）の映像を表示し、各無効映像領域での転送が完了した後には、正転送されている左側の無効映像領域の最終段から出力されるシフトパルスを有効映像領域用の書込み開始パルスとして用いて低速で正転送を行ないつつ、ナロー画像を表示する。
【０１３５】
＜反転送時の転送スイッチの動作の概要＞
図１２および図１３は、水平転送処理部１６１を構成する転送スイッチの反転送時の動作の概要を説明する図である。ここで、図１２は、反転送時の各転送スイッチの状態を示す図であり、図１３は、反転送時の動作を説明するタイミングチャートである。図示の手法は、それぞれ対応する図１０および図１１と同様である。
【０１３６】
反転送の場合も、図１２に示すように、左側からの水平スタートパルスｌＨＳＴと右側からの水平スタートパルスｒＨＳＴが水平転送処理部１６１の両側から入力される。そして、本例においては、左側からの水平スタートパルスｌＨＳＴは１段目のシフトレジスタ１６８からｎ／４段目のシフトレジスタ１６８まで、右側からの水平スタートパルスｒＨＳＴはｎ段目のシフトレジスタ１６８から３ｎ／４＋１段目のシフトレジスタ１６８までそれぞれ反対の方向に転送を行なう。このときに映像信号切替部８２４は、ブランキング信号抽出部８２２で抽出されるブランキング信号（本例では黒レベル）をビデオライン１６５に出力するので、左右の無効映像領域内には、黒枠表示がなされるようになる。
【０１３７】
有効映像領域内は反転送なので、左側および右側の各無効映像領域内での転送がそれぞれ最終段まで達すると、右側の無効映像領域の最終段である３ｎ／４＋１段目のシフトレジスタ１６８は反転送方向に対してクローズ状態（図中の矢印Ｘを参照）になっているので、その３ｎ／４＋１段目のシフトレジスタ１６８から出力されるシフトパルス（図１３の３ｎ／４＋１）が、有効映像領域の書込み開始パルスとして、有効映像領域右端の３ｎ／４段目のシフトレジスタ１６８に供給される。
【０１３８】
有効映像領域内では、右側の無効映像領域の最終段から供給されたシフトパルスを書込み開始パルスとして使用して、無効映像領域（６ｆＨ仕様）の７５％のサンプリング周波数（８ｆＨ仕様）でｎ／４＋１段目のシフトレジスタ１６８まで転送を行なう。このときに映像信号切替部８２４は、映像信号処理部３００から供給される３：４のナロー映像信号をビデオライン１６５に出力するので、有効映像領域内には、３：４のナロー画像が表示されるようになる。
【０１３９】
有効映像領域内での転送が最終段、すなわちｎ／４＋１段目のシフトレジスタ１６８まで達すると、そのｎ／４＋１段目のシフトレジスタ１６８は反転送方向に対してオープン状態（図中の矢印Ｙを参照）になっているので、シフトパルスが、それ以降の左側の無効映像領域用のシフトレジスタ１６８に入力されることはない。
【０１４０】
一方、左側の無効映像領域の最終段であるｎ／４段目のシフトレジスタ１６８は反転送方向に対してオープン状態（図中の矢印Ｚを参照）になっているので、シフトパルスが、それ以降の有効像領域用のシフトレジスタ１６８に入力されることはない。
【０１４１】
つまり、ワイドパネル内にナロー画像を真円率を維持して反転送で表示する際には、無効映像領域左右から互いに逆方向に転送を行ないつつ一定レベル（本例では黒レベル）の映像を表示し、各無効映像領域での転送が完了した後には、反転送されている右側の無効映像領域の最終段から出力されるシフトパルスを有効映像領域用の書込み開始パルスとして用いて低速で反転送を行ないつつ、ナロー画像を表示する。換言すれば、反転送の場合は、無効映像領域の転送方法は正転送時と同様であるが、有効映像領域は正転送時の逆論理の関係になっている。
【０１４２】
このように本例においては、水平転送処理部１６１を構成する各転送スイッチを各領域に割り当て、転送方向を指示する制御信号ＲＧＴ（ｘＲＧＴ）を全ての転送スイッチに共通に供給するのではなく、制御信号ＲＧＴ（ｘＲＧＴ）と表示領域切替信号ＮＲＷとに基づいて、領域別表示制御信号生成部８００において左側および右側の各無効映像領域用の転送スイッチの転送方向を制御するための制御信号ＮＲＬ，ｘＮＲＬ，ＮＲＲ，ｘＮＲＲを生成することで、各領域の各転送スイッチの転送方向と転送終了点を制御するようにした。
【０１４３】
領域別表示制御信号生成部８００を新た導入することで、水平転送処理部１６１の各転送スイッチの従属接続態様を従来と同様にすることを可能にするとともに、すなわち既存の転送回路の完全流用を可能とするとともに、領域別の転送方向の制御という手法を新たに導入することで、転送段の途中にスイッチ素子や接続ゲート素子を設けることなく、ワイドパネルを用いつつ、ワイド表示とナロー表示の切替えや転送方向の切替え（画素の双方向点順次アドレシング）を行なうことができるようになる。
【０１４４】
水平駆動部１０６をこのような仕組みにすることで、実質的に外部のＤＳＰなどの映像信号処理回路の機能の一部をパネル部１００内に取り入れることができ、ＤＳＰチップサイズの縮小化や、基板１０２および液晶表示装置１自体を小型にすることもできる。
【０１４５】
たとえば、９：１６のワイドパネルにおいて３：４の映像信号に基づいて表示を行なう際に、映像信号処理によって３：４の映像信号の左右に一定レベルの信号を付加し、それを３：４サイズにスクイーズしてワイドパネルに表示させる手法をとる必要がなく、これらの処理を行なう映像信号処理回路を削除することができる。また、有効映像領域では一時的にサンプリング周波数を有効映像の割合分低下させるため、３：４の映像信号をＮＴＳＣ規格にスクイーズする必要がなく、ＤＳＰなどの外部映像処理回路を簡略化かつ小規模化することができる。
【０１４６】
また、高周波数駆動が必要な水平駆動回路のセル構成やレイアウトは全く同一の繰り返しになっており、ワイドパネルにおいてナロー映像信号に基づいて表示を行なう際にも、無効映像領域から有効映像領域に亘って連続的に水平スタートパルスＨＳＴを段ごとに転送して画素の点順次アドレスを行なうことができ、黒表示などを行なう無効映像領域と有効映像領域の境目でシフトパルス遅延やなまりが生じることはない。これは、水平駆動回路内で常に一定のスルーレートを確保できることを意味しており、駆動の高周波数化に十分対応できる。また、無効映像領域用のシフトパルスを有効映像領域用の書込み開始パルスとして用いることができるため、波形が崩壊する可能性はない。
【０１４７】
加えて、無効映像領域から有効映像領域に亘って連続的に水平スタートパルスＨＳＴを段ごとに転送して画素の点順次アドレスを行なうので、ワイドパネルにおいてナロー映像信号に基づいて表示を行なう際、無効映像領域のサイズや位置を任意に変更することができる。たとえば、図４（Ｂ）の画面上部に示したように、パネル面の左右の両側から一定信号レベル（たとえば黒レベル）の書込みを行なう場合であれば、図５のｔ１１から左右同時に書込みを開始し、ｔ１２に達した段階で、パネル面の右側については書込みを停止するとともに、パネル面の左側については、有効映像領域へのナロー画像の書込みに移行すればよい。なお、この場合、表示パネル部１００上では、有効映像領域の左右に無効映像領域が同サイズで形成されることになる。左右の停止タイミングを異なるものとすれば、左右の無効映像領域を異なるサイズに形成することができる。さらにこのとき、有効映像領域のサイズを同じに維持するように左右の停止タイミングを異なるものに調整することで、表示パネル部１００上での有効映像領域を、サイズを同じに維持しながらその位置を調整することができる。
【０１４８】
これにより、特開平７−２９８１７１号に記載の仕組みを採用した場合に起こり得る問題を解消することができる。
【０１４９】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１５０】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１５１】
たとえば、点順次駆動方式には様々な変形方式があり、上記実施形態では、水平走査クロックＨＣＫの各論理レベルで画素Ｐに映像信号の書込みを行なうようにしていたが、本願発明においては、このことは必須ではない。
【０１５２】
また、上記実施形態では、アナログ映像信号を入力とし、これをサンプリングして点順次にて各画素を駆動するアナログインタフェース駆動回路を搭載した液晶表示装置に適用した場合について説明したが、デジタル映像信号を入力とし、これをラッチした後アナログ映像信号に変換し、このアナログ映像信号をサンプリングして点順次にて各画素を駆動するデジタルインタフェース駆動回路を搭載した液晶表示装置にも、上記実施形態にて説明した仕組みを同様に適用することができる。
【０１５３】
さらに、上記実施形態においては、画素の表示エレメントとして液晶セルを用いた液晶表示装置に適用した場合を例に採って説明したが、液晶表示装置への適用に限られるものではなく、点順次駆動方式のアクティブマトリクス型の表示全般にも、上記実施形態にて説明した仕組みを同様に適用することができる。
【図面の簡単な説明】
【０１５４】
【図１】本発明に係る表示パネルを駆動する駆動装置の一実施形態を適用した液晶表示装置の一実施形態の全体構成の概略を示す図である。
【図２】点順次駆動方式の水平駆動回路の構成例を示す図である。
【図３】駆動信号生成部の全体概要を示すブロック図である。
【図４】ナロー画面をワイド画面内に表示する際の表示態様の一例を示す図である。
【図５】駆動信号生成部において生成されるパルス信号のタイミングチャートの一例である。
【図６】パネル部に設けられる水平駆動部の構成例を示す図である。
【図７】比較例としての本実施形態を適用しない場合の水平駆動部の構成例を示す図である。
【図８】領域別表示制御信号生成部の一構成例を示す論理回路図である。
【図９】領域別表示制御信号生成部の特性を示す一覧表（Ａ）と、各領域内の転送スイッチの形態を示す図（Ｂ）である。
【図１０】転送スイッチの正転送時の状態を示す図である。
【図１１】正転送時の動作を説明するタイミングチャートである。
【図１２】転送スイッチの正転送時の状態を示す図である。
【図１３】正転送時の動作を説明するタイミングチャートである。
【符号の説明】
【０１５５】
１…液晶表示装置、１００…表示パネル部、１０２…基板、１０３…画素アレイ部、１０５…垂直駆動部、１０６…水平駆動部、１０７…レベルシフタ部、１０８…端子部、Ｐ…画素１１２…走査線、１１４…信号線、１６１…水平転送処理部、２００…駆動信号生成部、２１０…ＰＬＬ回路、２２０…水平走査系統パルス信号生成部、２３０…垂直走査系統パルス信号生成部、３００…映像信号処理部、４００…水平駆動系パルス生成部、５００…ビデオサンプルパルス生成部、６００…ビデオブランキングパルス生成部、７００…切替制御パルス生成部、７３０…切替部、８００…表示制御信号生成部、８２０…映像信号切替制御部
【図１】
2006284709.tif 000003
【図２】
2006284709.tif 000004
【図３】
2006284709.tif 000005
【図４】
2006284709.tif 000006
【図５】
2006284709.tif 000007
【図６】
2006284709.tif 000008
【図７】
2006284709.tif 000009
【図８】
2006284709.tif 000010
【図９】
2006284709.tif 000011
【図１０】
2006284709.tif 000012
【図１１】
2006284709.tif 000013
【図１２】
2006284709.tif 000014
【図１３】
2006284709.tif 000015